【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
情報処理装置において実行されるアプリケーションプログラムであって、
第１の通信方式による基地局との第１接続及び第２の通信方式による外部装置との第２接続を前記情報処理装置が並行して確立している状態においては、前記第１接続を用いた前記アプリケーションプログラムによる前記インターネットを介した第１通信が可能であり且つ前記第２接続を用いた前記アプリケーションプログラムによる第２通信が可能でない第１状態で、前記第１通信が可能であり且つ前記第２通信が可能でない第２状態より優先して前記情報処理装置を動作させるオペレーティングシステムを有する前記情報処理装置のコンピュータに、
前記第１状態で前記情報処理装置が動作している状態で、前記アプリケーションプログラムが起動することを特定する特定ステップと、
前記アプリケーションプログラムが起動することが特定されることに応じて、前記情報処理装置の状態を、前記第１状態から前記第２状態に切り替えるための処理を実行する切り替えステップと、
前記第２状態で前記情報処理装置が動作している状態で、前記インターネット上のコンテンツ以外のデータを、前記第２接続を用いた前記アプリケーションプログラムによる通信によって前記外部装置に送信する送信ステップと、を実行させることを特徴とするプログラム。
【請求項２】
前記情報処理装置において前記アプリケーションプログラムの動作が終了されることを特定する動作終了特定ステップと、
前記アプリケーションプログラムの動作が終了されることが特定されたことに応じて、前記情報処理装置の状態を、前記第２状態から前記第１状態に切り替えるための処理を実行する状態切り替えステップと、を更に実行させることを特徴とする請求項１に記載のプログラム。
【請求項３】
前記第１の通信方式は、移動体通信であることを特徴とする請求項１又は２に記載のプログラム。
【請求項４】
前記第１の通信方式は、３Ｇ又は４Ｇの移動体通信であることを特徴とする請求項３に記載のプログラム。
【請求項５】
前記第２の通信方式は、Ｗｉ−Ｆｉ（登録商標）通信であることを特徴とする請求項１乃至４のいずれか１項に記載のプログラム。
【請求項６】
前記第２接続は、前記第２の通信方式によって、前記外部装置の外部及び前記情報処理装置の外部のアクセスポイントを介さずに前記外部装置と接続する形態であることを特徴とする請求項１乃至５のいずれか１項に記載のプログラム。
【請求項７】
前記インターネット上のコンテンツ以外のデータは、前記インターネット上のコンテンツ以外のデータに基づく印刷を、前記外部装置に実行させるためのデータであることを特徴とする請求項１乃至６のいずれか１項に記載のプログラム。
【請求項８】
前記インターネット上のコンテンツを選択するための操作をユーザから受け付けるための画面の表示を行うためのユーザ操作が行われた後、前記情報処理装置の状態が、前記第２状態から、前記第１状態に切り替えられ、
前記情報処理装置が前記第１状態で動作している状態において、前記インターネット上のコンテンツが前記情報処理装置により受信され、
前記インターネット上のコンテンツが前記情報処理装置により受信された後、前記情報処理装置の状態が、前記第１状態から、前記第２状態に切り替えられ、
前記インターネット上のコンテンツが選択された場合、前記インターネット上のコンテンツが、前記第２接続を用いた前記アプリケーションプログラムによる通信により前記外部装置に送信されることを特徴とする請求項１乃至７のいずれか１項に記載のプログラム。
【請求項９】
前記インターネット上のコンテンツを選択するための操作をユーザから受け付けるための画面の表示が終了されることに応じて、前記情報処理装置の状態が、前記第１状態から、前記第２状態に切り替えられることを特徴とする請求項８に記載のプログラム。
【請求項１０】
前記第１状態から前記第２状態への切り替えは、前記第１接続と前記第２接続が並行して確立されたまま行われることを特徴とする請求項１乃至９のいずれか１項に記載のプログラム。
【請求項１１】
情報処理装置の制御方法であって、
前記情報処理装置は、
第１の通信方式による基地局との第１接続及び第２の通信方式による外部装置との第２接続を前記情報処理装置が並行して確立している状態においては、前記第１接続を用いた所定のアプリケーションプログラムによる前記インターネットを介した第１通信が可能であり且つ前記第２接続を用いた前記所定のアプリケーションプログラムによる第２通信が可能でない第１状態で、前記第１通信が可能であり且つ前記第２通信が可能でない第２状態より優先して前記情報処理装置を動作させるオペレーティングシステムを有し、
前記制御方法は、
前記第１状態で前記情報処理装置が動作している状態で、前記所定のアプリケーションプログラムが起動することを特定する特定ステップと、
前記所定のアプリケーションプログラムが起動することが特定されることに応じて、前記情報処理装置の状態を、前記第１状態から前記第２状態に切り替えるための処理を実行する切り替えステップと、
前記第２状態で前記情報処理装置が動作している状態で、前記インターネット上のコンテンツ以外のデータを、前記第２接続を用いた前記所定のアプリケーションプログラムによる通信によって前記外部装置に送信する送信ステップと、を有することを特徴とする制御方法。
【請求項１２】
情報処理装置であって、
第１の通信方式による基地局との第１接続及び第２の通信方式による外部装置との第２接続を前記情報処理装置が並行して確立している状態においては、前記第１接続を用いた所定のアプリケーションプログラムによる前記インターネットを介した第１通信が可能であり且つ前記第２接続を用いた前記アプリケーションプログラムによる第２通信が可能でない第１状態で、前記第１通信が可能であり且つ前記第２通信が可能でない第２状態より優先して前記情報処理装置を動作させるオペレーティングシステムと、
前記第１状態で前記情報処理装置が動作している状態で、前記所定のアプリケーションプログラムが起動することを特定する特定手段と、
前記所定のアプリケーションプログラムが起動することが特定されることに応じて、前記情報処理装置の状態を、前記第１状態から前記第２状態に切り替えるための処理を実行する切り替え手段と、
前記第２状態で前記情報処理装置が動作している状態で、前記インターネット上のコンテンツ以外のデータを、前記第２接続を用いた前記所定のアプリケーションプログラムによる通信によって前記外部装置に送信する送信手段と、を有することを特徴とする情報処理装置。
【手続補正２】
【補正対象書類名】明細書
【補正対象項目名】０００７
【補正方法】変更
【補正の内容】
【０００７】
上述のような課題を解決するための本発明のプログラムは、情報処理装置において実行されるアプリケーションプログラムであって、
第１の通信方式による基地局との第１接続及び第２の通信方式による外部装置との第２接続を前記情報処理装置が並行して確立している状態においては、前記第１接続を用いた前記アプリケーションプログラムによる前記インターネットを介した第１通信が可能であり且つ前記第２接続を用いた前記アプリケーションプログラムによる第２通信が可能でない第１状態で、前記第１通信が可能であり且つ前記第２通信が可能でない第２状態より優先して前記情報処理装置を動作させるオペレーティングシステムを有する前記情報処理装置のコンピュータに、
前記第１状態で前記情報処理装置が動作している状態で、前記アプリケーションプログラムが起動することを特定する特定ステップと、
前記アプリケーションプログラムが起動することが特定されることに応じて、前記情報処理装置の状態を、前記第１状態から前記第２状態に切り替えるための処理を実行する切り替えステップと、
前記第２状態で前記情報処理装置が動作している状態で、前記インターネット上のコンテンツ以外のデータを、前記第２接続を用いた前記アプリケーションプログラムによる通信によって前記外部装置に送信する送信ステップと、
を実行させることを特徴とする。